(57)【要約】【課題】スクワット運動を補助するだけではなく、通常の椅子として腰掛けた場合に上半身が前傾姿勢になるのを抑制できる椅子型運動器具を提供する。【解決手段】椅子型運動器具１００は、座部１と、床面Ｆ上で座部１を支持する支柱１０と、を備え、支柱１０は、軸方向に伸縮可能に構成され、支柱１０の軸方向の下端部には、床面Ｆに対して揺動可能に構成された基部５０が設けられる。【選択図】図３
0003220461.tif 000002
【実用新案登録請求の範囲】
【請求項１】
座部と、
床面上で前記座部を支持する支柱と、を備え、
前記支柱は、軸方向に伸縮可能に構成され、
前記支柱の軸方向の下端部には、前記床面に対して揺動可能に構成された基部が設けられる
ことを特徴する椅子型運動器具。
【請求項２】
前記基部は、床面側に湾曲された断面アール状の底面を有する
請求項１に記載の椅子型運動器具。
【請求項３】
前記底面は、床面側に湾曲された球面状に形成される
請求項２に記載の椅子型運動器具。
【請求項４】
前記底面には、前記床面に対する滑り止め部材が設けられる
請求項２または３に記載の椅子型運動器具。
【請求項５】
前記滑り止め部材は、前記底面の中央部に配置された第１滑り止め部材と、前記第１滑り止め部材よりも外側に配置された第２滑り止め部材と、を含み、
前記第２滑り止め部材は、前記基部が鉛直方向に対して所定角度よりも大きく傾いたときに前記床面に接触する
請求項４に記載の椅子型運動器具。
【請求項６】
前記第２滑り止め部材は、前記底面から前記床面側に突出するように設けられる
請求項５に記載の椅子型運動器具。
【請求項７】
前記基部の内部には、消音材が設けられる
請求項２〜６何れか一項に記載の椅子型運動器具。
【考案の詳細な説明】
【技術分野】
【０００１】
本開示は、椅子型運動器具に関する。
【背景技術】
【０００２】
一般的に、スクワット運動においては、膝がつま先よりも前方に出ている程、膝に負担が掛かり易い。しかし、膝がつま先よりも前方に出ないようにすると、しゃがんだときに重心が後方に移動するため、斜め後方に負荷が掛かるようになる。そのため、このような姿勢でスクワット運動を行うには、ある程度の筋力とバランスが必要になる。
【０００３】
そこで、スクワット運動を補助する手段として、座部と、鉛直方向に対して前傾された支柱とを有し、その支柱が軸方向に伸縮可能に構成された椅子型運動器具が知られている。
【０００４】
このような運動器具であれば、座部に腰掛けるようにしゃがむことで、臀部が支柱に支えられ、体全体が後方に倒れるのを抑制できる。また、しゃがんだ状態から起立する際に、支柱が軸方向に伸張して臀部を斜め前方に押し出すことで、軽い力で起立できる。その結果、膝がつま先よりも前方に出ないようにスクワット運動を行うことが可能になる。
【先行技術文献】
【特許文献】
【０００５】
【特許文献１】特表２０１８−５０２６８号公報
【考案の概要】
【考案が解決しようとする課題】
【０００６】
ところで、日常生活において椅子から立ち上がる際には、人間は無意識のうちにつま先を膝よりも後方に引いている。しかし、膝への負担を軽減する観点からすれば、スクワット運動と同様に、膝がつま先よりも前方に出ないように起立することが望ましい。
【０００７】
しかしながら、上記の椅子型運動器具は、スクワット運動を補助するための運動器具であり、それ以外の用途を想定していない。そのため、鉛直方向に対する支柱の角度が前傾した一定の角度で固定されており、腰掛けたときに上半身が前傾し易いので、通常の椅子として使用するには不便である。
【０００８】
そこで、本開示は、上記事情に鑑みてなされたものであり、スクワット運動を補助するだけではなく、通常の椅子として腰掛けた場合に上半身が前傾姿勢になるのを抑制できる椅子型運動器具を提供することを目的とする。
【課題を解決するための手段】
【０００９】
本開示に係る椅子型運動器具は、座部と、床面上で前記座部を支持する支柱と、を備え、前記支柱は、軸方向に伸縮可能に構成され、前記支柱の軸方向の下端部には、前記床面に対して揺動可能に構成された基部が設けられることを特徴とする。
【００１０】
また、前記基部は、床面側に湾曲された断面アール状の底面を有することが好ましい。
【００１１】
また、前記底面は、床面側に湾曲された球面状に形成されることが好ましい。
【００１２】
また、前記底面には、前記床面に対する滑り止め部材が設けられることが好ましい。
【００１３】
また、前記滑り止め部材は、前記底面の中央部に配置された第１滑り止め部材と、前記第１滑り止め部材よりも外側に配置された第２滑り止め部材と、を含み、前記第２滑り止め部材は、前記基部が鉛直方向に対して所定角度よりも大きく傾いたときに前記床面に接触することが好ましい。
【００１４】
また、前記第２滑り止め部材は、前記底面から前記床面側に突出するように設けられることが好ましい。
【００１５】
また、前記基部の内部には、消音材が設けられることが好ましい。
【考案の効果】
【００１６】
本開示に係る椅子型運動器具によれば、スクワット運動を補助するだけではなく、通常の椅子として腰掛けた場合に上半身が前傾姿勢になるのを抑制できる。
【図面の簡単な説明】
【００１７】
【図１】椅子型運動器具を示す側面概略図である。
【図２】図１の正面概略図である。
【図３】図１の断面概略図である。
【図４】図１に示した基部の下面概略図である。
【図５】図１に示した基部の断面概略図である。
【図６】基部が揺動した状態を示す断面概略図である。
【図７】使用時に支柱が前傾し且つ伸張した状態を示す側面概略図である。
【図８】使用時に支柱が前傾し且つ収縮した状態を示す側面概略図である。
【図９】使用時に支柱が鉛直方向に延び且つ収縮した状態を示す側面概略図である。
【図１０】変形例１の正面概略図である。
【図１１】図１０に示した基部の下面概略図である。
【考案を実施するための形態】
【００１８】
以下、添付図面に基づいて、本開示の一実施形態を説明する。なお、本開示は、下記の実施形態に限定されるものではなく、本開示の趣旨を逸脱しない範囲で、適宜変形して実施できるものとする。
【００１９】
図１は、椅子型運動器具（以下、単に「運動器具」と称する）１００を示す側面概略図である。また、図２は、図１の正面概略図であり、図３は、図１の断面概略図である。また、図４は、図１に示した基部５０の下面概略図であり、図５は、図１に示した基部５０の断面概略図であり、図６は、基部５０が揺動した状態を示す断面概略図である。なお、これら図中に示す各方向は、後述する使用者の各方向と一致する。また、一点鎖線Ｃは、支柱１０の中心軸を示すものとする。また、本実施形態では、床面Ｆは、水平であるものとする。
【００２０】
図１及び図２に示すように、運動器具１００は、座部１と、床面Ｆ上で座部１を支持する支柱１０と、を備える。
【００２１】
座部１は、左右方向に長い箱型状に形成される。座部１は、座面部２と、座面部２を支持する基板３と、を備える。
【００２２】
座面部２には、クッション部材が用いられる。座面部２は、外周側上面の位置を上方に盛り上がらせた凸部２ａを有する。凸部２ａは、座面部２の上面に全周に亘って形成される。また、座部面２は、左右方向の両側が上方に湾曲するように形成される。
【００２３】
基板３には、座面部２の下面が固定される。また、図示しないが、基板３は、座面部２の形状に合わせて、左右方向の両側が上方に湾曲するように形成されている。
【００２４】
図３に示すように、基板３の中心位置には、支柱１０と同軸に配置された軸受部４が設けられる。軸受部４には、ボールベアリングが用いられる。
【００２５】
支柱１０は、軸方向に伸縮可能に構成される。また、支柱１０の軸方向の下端部には、床面Ｆに対して揺動可能に構成された基部５０が設けられる。
【００２６】
支柱１０には、軸方向において上方から順に、高さ調節部２０、上側伸縮部３０、下側伸縮部４０、及び基部５０が設けられる。また、支柱１０は、上側伸縮部３０から基部５０にかけて内部に設けられたバネ部材６０を備える。
【００２７】
高さ調節部２０、上側伸縮部３０及び下側伸縮部４０は、鉄等の金属材料からなり、それぞれ軸方向に延びる円筒状に形成される。高さ調節部２０及び下側伸縮部４０は、上側伸縮部３０の外周面に対してスライド可能な内径を有する。
【００２８】
高さ調節部２０の上端部は、軸受部４を介して座部１の基板３に対して旋回可能に連結される。また、高さ調節部２０の上端は、潤滑材５を介して基板３の下面に接続される。
【００２９】
高さ調節部２０には、軸方向に対して垂直に貫通された高さ調整孔２１が形成される。高さ調節孔２１は、軸方向に間隔を空けて複数（図示例では、等間隔に５つ）設けられる。
【００３０】
高さ調節部２０は、上側伸縮部３０の上端部にスライドさせて接続される。上側伸縮部３０の上端部には、軸方向に対して垂直に貫通された挿通孔３１が形成される。挿通孔３１には、高さ調節孔２１の一つが同軸に配置された状態で、高さ調節用のディテントピンＰが挿通される。これにより、支柱１０に対する座部１の軸方向の高さ位置が調節される。
【００３１】
上側伸縮部３０の下部には、軸方向に延びるバネ部材６０の上部が挿入される。また、上側伸縮部３０の内壁には、バネ部材６０の上端に当接される止め輪３２が固定される。
【００３２】
下側伸縮部４０の上部には、上側伸縮部３０の下部が上方からスライドされて挿入される。また、下側伸縮部４０には、全長に亘ってバネ部材６０が上方から挿入される。なお、本実施形態では、下側伸縮部４０は、軸方向において、上側伸縮部３０及びバネ部材６０よりも短く形成される。但し、これらの長さは任意であって良く、下側伸縮部４０が上側伸縮部３０及びバネ部材６０と同じ長さか、または長く形成されても良い。
【００３３】
図４及び図５に示すように、基部５０は、軸方向に対して垂直に配置された略円盤状に形成される。基部５０は、下側伸縮部４０の下端部に垂直に接続された平板部材５１と、平板部材５１を下方から覆うように配置された底板部材５２と、平板部材５１の上方を覆うように配置されたカバー部材５３を、を有する。また、基部５０の内部には、消音材Ｄが設けられる。
【００３４】
平板部材５１、底板部材５２及びカバー部材５３には、ＡＢＳ樹脂等の樹脂材料または鉄等の金属材料が用いられる。
【００３５】
図示しないが、平板部材５１は、上面視で円形状に形成される。平板部材５１の上面部の中央位置には、下側伸縮部４０の下端部を固定する固定部材５５が設けられる。固定部材５５は、平板部材５１の上面に固定された円環状の外側固定部材５５ａと、外側固定部材５５ａの径方向内側に隙間を空けて配置された円環状の内側固定部材５５ｂと、を含む。
【００３６】
外側固定部材５５ａの内周面と内側固定部材５５ｂの外周面との隙間には、下側伸縮部４０の下端部が嵌合されて固定される。また、内側固定部材５５ｂの上面には、バネ部材６０の下端が当接される。
【００３７】
消音材Ｄは、内側固定部材５５ｂの上面に配置された上側消音材Ｄ１と、平板部材５１の下面に配置された下面側消音材Ｄ２と、を含む。上側消音材Ｄ１は、円環状に形成され、バネ部材６０の下端部を外周側から覆うように配置される。下面側消音材Ｄ２は、平板部材５１の下面全体に貼り付けられる。
【００３８】
消音材Ｄ１，Ｄ２は、ゴム、ポリエチレン、ＥＶＡ樹脂等で形成されており、緩衝材としての機能をも有する。なお、図示しないが、消音材Ｄは、上側伸縮部３０の止め輪３２の下面及び上面に設けられても良い。
【００３９】
他方、平板部材５１の下面には、下面側消音材Ｄ２を介して平板支持部材５６が接続される。平板支持部材５６は、軸方向に延びる円柱状または円環状に形成され、下面側消音材Ｄ２の下面の中央部分に固定される。
【００４０】
底板部材５２は、基部５０の底面としての底面５４を有する。底面５４は、床面Ｆ側に湾曲された球面状に形成される。
【００４１】
具体的には、底板部材５２は、下面視で円形状に形成される。また、底板部材５２は、床面Ｆ側に緩やかに湾曲された球面状に形成される。これにより、本実施形態の基部５０は、床面Ｆに対して揺動可能となる。
【００４２】
底板部材５２の上面部の中央位置には、平板支持部材５６の下端が当接されて固定される。また、底板部材５２の外周部は、鉛直方向上方に向くように湾曲され、平板部材５１の外周部を嵌合して固定する。なお、平板部材５１及び底板部材５２は、外力が掛からなければ水平方向に配置され、外力が掛かることで揺動して鉛直方向に対して傾斜する（図６を参照）。
【００４３】
底板部材５２の底面５４には、床面Ｆに対する滑り止め部材７０が設けられる。滑り止め部材７０は、底板部材５２の底面５４の中央部に配置された第１滑り止め部材７１と、第１滑り止め部材７１よりも外側に配置された第２滑り止め部材７２と、を含む。
【００４４】
具体的には、底板部材５２の底面５４には、第１滑り止め部材７１を設けるための第１凹部５７ａと、第２滑り止め部材７２を設けるための第２凹部５７ｂと、が形成される。
【００４５】
第１凹部５７ａは、下面視で円形状に形成され、底板部材５２の中央位置に配置される。また、第１凹部５７ａは、底板部材５２を一定の深さで上方に凹ませて形成される。
【００４６】
第２凹部５７ｂは、下面視で円環状に形成され、底板部材５２の外周端の近傍位置で周方向に延びる。また、第２凹部５７ｂは、底板部材５２を上方に湾曲させて形成される。
【００４７】
また、第２凹部５７ｂは、第１凹部５７ａに対して径方向に一定の間隔を空けて配置される。これにより、第１滑り止め部材７１と第２滑り止め部材７２との間には、一定の間隔が設けられる。
【００４８】
第１及び第２滑り止め部材７１，７２には、熱可塑性ゴム（ＴＲＰ）が用いられる。
【００４９】
第１滑り止め部材７１は、第１凹部５７ａ内で射出成形され、下面視で円形状に形成される。また、第１滑り止め部材７１は、一定の厚さで形成され、底板部材５２の底面５４から床面Ｆ側に僅かに突出するように設けられる。但し、第１滑り止め部材７１は、底板部材５２の底面５４と同一面上になるように設けられても良い。
【００５０】
第２滑り止め部材７２は、第２凹部５７ｂ内で射出成形され、下面視で円環状に形成される。また、第２滑り止め部材７２は、底板部材５２の底面５４から床面Ｆ側に突出するように設けられる。また、第２滑り止め部材７２は、周方向において一定の厚さで形成される。また、第２滑り止め部材７２の表面は、断面アール状に形成される。
【００５１】
また、図６に示すように、第２滑り止め部材７２は、基部５０が鉛直方向に対して所定角度α（例えば、角度１０°）よりも大きく傾いたときに床面Ｆに接触するように設けられる。なお、この角度αは、スクワット運動における支柱１０の適切な角度に設定される。
【００５２】
また、第１及び第２滑り止め部材７１，７２は、鉛直方向に対する基部５０の角度が所定の範囲内（例えば、角度０°〜３０°）にあるときに、少なくとも何れか一方の滑り止め部材７１，７２が床面Ｆに接触するように設けられる。なお、基部５０の角度がこの範囲内にあるときは、底板部材５２の底面５４は、床面Ｆに接触しないことが望ましい。
【００５３】
第１凹部５７ａと第２凹部５７ｂとの間に位置する底板部材５２には、筒状に形成された下側ネジ孔部５８ａが形成される。下側ネジ孔部５８ａは、第２凹部５７ｂに近接して設けられ、底板部材５２の周方向に間隔を空けて複数（図示例では、等間隔に４つ）設けられる。
【００５４】
また、下側ネジ孔部５８ａは、底板部材５２の底面５４から軸方向に沿って上方に延び、下面側消音材Ｄ２と平板部材５１とを貫通して、後述するカバー部材５３の上側ネジ孔部５８ｂに連通する。
【００５５】
図示しないが、カバー部材５３は、上面視で円環状に形成され、下側伸縮部４０の下端部が軸方向に挿通される。また、カバー部材５３は、全体として座部１側に緩やかに湾曲された球面状または円錐状に形成される。
【００５６】
カバー部材５３の外周端は、底板部材５２の外周部の上端に接続される。また、カバー部材５３の下面部には、下方に延びるカバー支持部５９が設けられる。
【００５７】
カバー支持部５９は、カバー部材５３の中央部に形成された第１支持部５９ａと、第１支持部５９ａよりも外側に形成された第２支持部５９ｂと、を含む。
【００５８】
第１支持部５９ａ及び第２支持部５９ｂは、軸方向に延びる円筒状にそれぞれ形成される。第１支持部５９ａの内周面は、下側伸縮部４０の外周面に当接される。第１支持部５９ａの下端は、外側固定部材５５ａの上面に当接される。一方、第２支持部５９ｂの下端は、平板部材５１の上面に当接される。これにより、カバー部材５３は、平板部材５１に支持され、且つ、下側伸縮部４０の下端部を保持するようになる。
【００５９】
また、第２支持部５９ｂよりも外側に位置するカバー部材５３の下面部には、軸方向に沿って下方に延びる上側ネジ孔部５８ｂが形成される。上側ネジ孔部５８ｂは、カバー部材５３の周方向に間隔を空けて複数（図示例では、等間隔に４つ）設けられ、底板部材５２の下側ネジ孔部５８ａに接続される。
【００６０】
平板部材５１、底板部材５２及びカバー部材５３は、下側ネジ孔部５８ａと上側ネジ孔部５８ｂとにネジＢが下方から締め込まれることで、互いに固定される。なお、ネジＢの頭部は、底板部材５２の底面５４から床面Ｆ側に突出しないように、下側ネジ孔部５８ａ内に収容される。
【００６１】
図３及び図５に示すように、バネ部材６０には、コイルバネが用いられる。バネ部材６０は、軸方向において、基部５０の内側固定部材５５ｂと上側伸縮部３０の止め輪３２との間に挟まれる。
【００６２】
また、バネ部材６０及び止め輪３２の内周側には、軸芯部材６１が挿通される。軸芯部材６１の下端部は、内側固定部材５５ｂの内周部に嵌合されて固定される。なお、図示しないが、軸芯部材６１の外周面は、消音機能を有する樹脂製のチューブで覆われる。
【００６３】
本実施形態では、バネ部材６０は、軸方向に伸びて上側伸縮部３０を上方に付勢する。また、バネ部材６０は、上側伸縮部３０側からの荷重により付勢力に反して圧縮される。これにより、上側伸縮部３０が下側伸縮部４０に対して軸方向に移動することで、支柱１０が伸縮される。
【００６４】
本実施形態に係る運動器具１００の作用効果を説明する。図７は、使用時に支柱１０が前傾し且つ伸張した状態を示す側面概略図であり、図８は、使用時に支柱１０が前傾し且つ収縮した状態を示す側面概略図である。また、図９は、使用時に支柱１０が鉛直方向に延び且つ収縮した状態を示す側面概略図である。
【００６５】
先ず、図７及び図８を参照して、使用者Ｍがスクワット運動を行う場合を説明する。
【００６６】
図７に示すように、使用者Ｍは、スクワット運動を行う際に、支柱１０を鉛直方向に対して前傾させた状態で、座部１に軽く腰掛ける。このとき、支柱１０は、バネ部材６０（図３を参照）の付勢力により軸方向に伸張されている。本実施形態では、この状態をスクワット運動における起立した姿勢とする。
【００６７】
この起立した姿勢から、使用者Ｍは、図８に示すように、座部１に体重を乗せつつ膝Ｎを屈曲させて、スクワット運動におけるしゃがむ動作を行う。このとき、図３に示したバネ部材６０が使用者Ｍの体重により圧縮されることで、支柱１０が軸方向に収縮される。これにより、使用者Ｍは、座部１に腰掛けた状態で、且つ、スクワット運動におけるしゃがんだ姿勢となる。
【００６８】
そして、このしゃがんだ姿勢から、使用者Ｍは、膝Ｎを伸展させてスクワット運動における起立動作を行い、図７に示した起立した姿勢に戻す。
【００６９】
ここで、一般的に、スクワット運動においては、膝Ｎがつま先Ｔよりも前方に出ている程、膝Ｎに負担が掛かり易い。しかし、膝Ｎがつま先Ｔよりも前方に出ないようにすると、しゃがんだときに重心が後方に移動するため、斜め後方に負荷が掛かるようになる。そのため、仮に、補助なしでスクワット運動を行う場合、このような姿勢でスクワット運動を行うには、ある程度の筋力とバランスが必要となる。
【００７０】
これに対して、本実施形態の運動器具１００では、図７及び図８に示したように、使用者Ｍが座部１に腰掛けた状態でしゃがむことで、支柱１０により臀部Ｈが支えられる。そのため、使用者Ｍは、斜め後方への負荷により体全体が後方に倒れようとするのを抑制できる。
【００７１】
また、使用者Ｍがしゃがんだ状態から起立する際には、支柱１０が軸方向に伸張して臀部Ｈを斜め前方に押し出す。これにより、使用者Ｍは、起立動作を補助されて、軽い力で起立することができる。
【００７２】
その結果、仮想線Ｌで示すように、膝Ｎがつま先Ｔよりも前方に出ない姿勢でも、簡単にスクワット運動を行うことが可能になる。
【００７３】
次に、図７〜図９を参照して、使用者Ｍが、スクワット運動ではなく通常の椅子として運動器具１００を使用する場合を説明する。
【００７４】
図９に示すように、使用者Ｍは、運動器具１００を通常の椅子として腰掛ける際、スクワット運動と同様に、支柱１０が軸方向に収縮されることで、座部１に深く腰掛けることができる。
【００７５】
ここで、日常生活において椅子から立ち上がる際には、人間は無意識のうちにつま先を膝よりも後方に引いている。しかし、膝への負担を軽減する観点からすれば、スクワット運動と同様に、膝がつま先よりも前方に出ないように起立することが望ましい。
【００７６】
これに対して、本実施形態であれば、支柱１０が軸方向に伸張して臀部Ｈを斜め前方に押し出すことで、起立動作を補助できる。その結果、仮想線Ｌで示すように、つま先Ｔを膝Ｎよりも後方に引くことなく、簡単に運動器具１００から立ち上がることができるので、膝Ｎへの負担を軽減できる。
【００７７】
他方、図示しないが、スクワット運動の用途だけであれば、鉛直方向に対する支柱の角度が前傾した一定の角度で固定された椅子型運動器具で足りる。しかし、このような運動器具では、通常の椅子として腰掛けたときに、上半身が前傾し易いので不便である。
【００７８】
これに対して、本実施形態では、使用者Ｍは、支柱１０が鉛直方向に延びた状態で、座部１に深く腰掛けることができる。そのため、上半身が前傾姿勢になるのを抑制して、運動器具１００を通常の椅子として使用できる。
【００７９】
よって、本実施形態であれば、スクワット運動を補助するだけではなく、通常の椅子として腰掛けた場合に上半身が前傾姿勢になるのを抑制できる。
【００８０】
また、本実施形態では、床面Ｆに対して基部５０が揺動可能に構成される。そのため、使用者Ｍは、鉛直方向に対する支柱１０の角度を所望の角度にして、スクワット運動を行うことができる。また、使用者Ｍは、座部１に深く腰掛けた状態で、例えば片足を床面Ｆから浮かすことで、バランス運動（体幹トレーニング）を行うことができる。また、使用者Ｍは、座部１に深く腰掛けた状態で、腰を回すことで、サークル運動（ウエストやお腹周りの引き締め）を行うことができる。
【００８１】
また、本実施形態では、底板部材５２の底面５４の中央部に第１滑り止め部材７１が設けられる。これにより、床面Ｆに対して底板部材５２の底面５４が滑るのを抑制できる。
【００８２】
また、本実施形態では、第１滑り止め部材７１よりも外側の位置に第２滑り止め部材７２が設けられる。これにより、基部５０を揺動させたときに、底面５４の広い範囲で床面Ｆに対する滑りを抑制できる。
【００８３】
また、第２滑り止め部材７２は、基部５０が鉛直方向に対して所定角度α（例えば、角度１０°）よりも大きく傾いたときに床面Ｆに接触する。これにより、使用者Ｍは、スクワット運動を行う際の適切な角度に気が付くことができる。また、第２滑り止め部材７２は、床面Ｆとの接触により、それ以上に支柱１０が傾くのを抑制できる。
【００８４】
また、本実施形態の座部１は、座面部２の外周側上面の位置を上方に盛り上がらせた凸部２ａを有する。そのため、座面部２により臀部Ｈを良好に保持できる。
【００８５】
また、座部１は、左右方向の両側が上方に湾曲されている。そのため、バランス運動やサークル運動を行った場合に、座面部２により臀部Ｈを左右方向に安定して保持できる。
【００８６】
また、高さ調節部２０の上端部は、座部１の基板３に対して旋回可能に連結される。これにより、使用者Ｍは、床面Ｆに対して運動器具１００全体を旋回させることなく、座部１のみを旋回させて、腰を捻る運動を行うことができる。
【００８７】
また、例えば、スクワット運動を行う場合には、座部１を左右方向から前後方向に角度９０°で旋回させた状態で、両足を肩幅より開いて座部１に跨がるように腰掛ける。これにより、スクワット運動中に基部５０が前後方向に揺動されても、座面部２により臀部Ｈを確実に保持できる。
【００８８】
また、本実施形態では、基部５０の内部に消音材Ｄ１，Ｄ２が設けられる。これにより、基部５０が揺動したときに、下側伸縮部４０、平板部材５１、底板部材５２及びカバー部材５３が互いに緩衝して発生する音を抑制できる。
【００８９】
他方、上述の実施形態は、以下のように変形またはそれら変形例の組合わせとすることができる。なお、下記の説明において、上述の基本実施形態と同一の構成要素については同一の符号を用い、それらの詳細な説明は省略する。
【００９０】
（変形例１）
基部５０の底面５４は、床面Ｆ側に湾曲された断面アール状であれば、球形状以外の任意の形状であって良い。
【００９１】
図１０及び図１１に示すように、変形例１の基部５０は、前後方向だけに揺動可能な揺りかご状または蒲鉾状に形成される。
【００９２】
具体的には、変形例１の底板部材５２及び滑り止め部材７０は、それぞれ下面視で左右方向に延びる矩形状に形成される。また、図示しないが、変形例１の平板部材５１及びカバー部材５３も、それぞれ上面視及び下面視で矩形状に形成される。また、底板部材５２は、左右の両端部で鉛直方向に延びる側壁５２ａを有する。
【００９３】
変形例１によれば、前後方向だけに揺動するので、左右方向に対しては安定して腰掛けることができる。
【００９４】
（変形例２）
図示しないが、第１滑り止め部材７１と第２滑り止め部材７２との間の位置にも、滑り止め部材が設けられて良い。また、これらの滑り止め部材は、一体として形成されても良い。
【００９５】
また、第１及び第２凹部５７ａ，５７ｂは、底板部材５２の底面５４から省略されても良い。この場合、第１及び第２滑り止め部材７１，７２は、底面５４に貼り付けられる。
【００９６】
また、底板部材５２の底面５４が床面Ｆに対して滑り難い場合には、第１及び第２滑り止め部材７１，７２は、第１及び第２凹部５７ａ，５７ｂと共に、基部５０から省略されても良い。
【００９７】
（変形例３）
図示しないが、バネ部材６０の代わりに、軸方向に伸縮するゴム等の弾性部材が用いられても良い。また、運動器具１００は、座部１及び支柱１０が一体的に形成されても良く、また、例えば全体として円柱状に形成された椅子形状であっても良い。
【符号の説明】
【００９８】
１  座部
１０  支柱
２０  高さ調節部
３０  上側伸縮部
４０  下側伸縮部
５０  基部
５４  底面
７０  滑り止め部材
７１  第１滑り止め部材
７２  第２滑り止め部材
１００  椅子型運動器具
Ｆ  床面
【図１】
0003220461.tif 000003
【図２】
0003220461.tif 000004
【図３】
0003220461.tif 000005
【図４】
0003220461.tif 000006
【図５】
0003220461.tif 000007
【図６】
0003220461.tif 000008
【図７】
0003220461.tif 000009
【図８】
0003220461.tif 000010
【図９】
0003220461.tif 000011
【図１０】
0003220461.tif 000012
【図１１】
0003220461.tif 000013